(57)【要約】    【課題】  ファクシミリ装置において電話番号データ等の設定データを適切にバックアップして容易に設定データのリカバリ処理を行う。    【解決手段】  所定の設定データの入力操作を行うための操作手段７と、その操作手段により入力された設定データを格納する第１の記憶手段３と、プリント処理及びスキャナ処理等に関する画像データを格納する第２の記憶手段６と、その第２の記憶手段に所定の領域を確保し、第１の記憶手段に格納された設定データと同一のデータの書き込みを行う制御手段１３とを備えたファクシミリ装置１とし、ユーザが登録した設定データ（電話番号データ等）を第２の記憶手段にも書き込むことで、設定データの変化に対応して迅速なバックアップを可能とする。【選択図】    図１
2005269615.tif 000002
【特許請求の範囲】
【請求項１】
所定の設定データの入力操作を行うための操作手段と、その操作手段により入力された設定データを格納する第１の記憶手段と、プリント処理及びスキャナ処理等に関する画像データを格納する第２の記憶手段と、その第２の記憶手段に所定の領域を確保し、前記第１の記憶手段に格納された設定データと同一のデータの書き込みを行う制御手段とを備えたことを特徴とするファクシミリ装置。
【請求項２】
前記制御手段は、前記第１の記憶手段に格納された設定データに異常が発生した場合に、前記第２の記憶手段に格納された設定データを用いてリカバリ処理を実行することを特徴とする請求項１に記載のファクシミリ装置。
【請求項３】
前記制御手段は、前記第２の記憶手段に格納された設定データに異常が発生した場合に、前記第１の記憶手段に格納された設定データを用いてリカバリ処理を実行することを特徴とする請求項１に記載のファクシミリ装置。
【請求項４】
前記設定データは、簡易な発信を可能とするために登録される電話番号データを含むことを特徴とする請求項１乃至請求項３の何れかに記載のファクシミリ装置。
【請求項５】
前記第２の記憶手段は、装置の本体部に対して着脱可能なハードディスクであることを特徴とする請求項１に記載のファクシミリ装置。
【請求項６】
メモリカードを装着するためのメモリ装着手段を更に備え、前記第２の記憶手段は、当該メモリ装着手段に装着されたメモリカードであることを特徴とする請求項１に記載のファクシミリ装置。
【請求項７】
前記制御手段は、前記第２の記憶手段を装着した際に、その第２の記憶手段に対して前記第１の記憶手段に格納された設定データと同一のデータの書き込みを行うことを特徴とする請求項５又は請求項６に記載のファクシミリ装置。
【発明の詳細な説明】
【技術分野】
【０００１】
本発明は、ファクシミリ装置（ファクシミリ機能を有する複合機等を含む）に関し、とりわけ、装置本体に設定された電話番号データ等の各種設定データをバックアップすることができる記憶装置を備えたファクシミリ装置に関するものである。
【背景技術】
【０００２】
従来から、送信先のファクシミリ電話番号のデータ（例えば、ユーザが簡易な発信を可能とするための「ワンタッチダイヤル」や「短縮ダイヤル」）を登録する機能を有するファクシミリ装置において、登録されたデータが万一消失した場合に、消失したデータを回復できるデータバックアップシステムを備えたものが存在する。
【０００３】
例えば、データ格納メモリ内の送信先ファクシミリ電話番号データが、消失したり、書き換えられたり、壊れたり、或いはオペレータが全データの書き換えを指示した場合に、バックアップ先の装置に電話をして、その装置に格納されたバックアップデータをデータ格納メモリ内に読み込むことで電話番号データを回復できるファクシミリ装置が知られている（例えば、特許文献１参照）。
【特許文献１】特開平９−１８１８４８号公報
【発明の開示】
【発明が解決しようとする課題】
【０００４】
しかしながら、上記特許文献１に開示のような技術では、予めバックアップ装置（例えば、他のファクシミリ装置）にデータを格納しておき、必要なときにファクシミリ装置とバックアップ装置間で所定の通信プロトコルを実行させてバックアップデータを取得する必要があった。従って、リカバリ（回復）処理を行う際には、ファクシミリ装置とバックアップ装置との間で所定の通信プロトコルを実行できる状態になければならないので、バックアップ装置が使用中であったり、電源が入っていなかったりした場合には、所定の通信プロトコルを実行できず、リカバリ処理が行えないといった問題点を有していた。また、そのようなリカバリ処理は、バックアップを行った時点でのデータに基づくものであるため、ファクシミリ装置においてユーザによるデータの更新が頻繁に行われる場合には、その都度、データのバックアップを行っておかなければ有効なリカバリ処理が行えないという問題もあった。
【０００５】
本発明は、このような知見に基づいてなされたものであり、電話番号データ等の設定データを適切にバックアップして容易に設定データのリカバリ処理を行うことができるファクシミリ装置を提供することを目的としている。
【課題を解決するための手段】
【０００６】
上記課題を解決するために、本発明のファクシミリ装置は、請求項１に示すとおり、所定の設定データの入力操作を行うための操作手段と、その操作手段により入力された設定データを格納する第１の記憶手段と、プリント処理及びスキャナ処理等に関する画像データを格納する第２の記憶手段と、その第２の記憶手段に所定の領域を確保し、第１の記憶手段に格納された設定データと同一のデータの書き込みを行う制御手段とを備えた構成とする。
【０００７】
これによると、ユーザが登録した設定データ（電話番号データ等）は、別の記憶手段にも書き込まれてミラー化されるので、他の装置に設定データをバックアップしておく必要もなく、設定データのリカバリ処理を容易に実行可能となる。また、画像データを格納するための第２の記憶手段に所定の領域を確保して設定データのバックアップを行うので、新たにバックアップ用の記憶手段を設ける必要もない。特に、ファクシミリの電話番号データ等のように頻繁に追加または修正される設定データについて、設定データの変化に対応して迅速なバックアップが可能である。
【０００８】
また、請求項２に示すとおり、制御手段は、第１の記憶手段に格納された設定データに異常が発生した場合に、第２の記憶手段に格納された設定データを用いてリカバリ処理を実行する構成とすることができる。これにより、第１の記憶手段に異常が発生した場合でも、正常な第２の記憶手段から設定データを読み出して設定データのリカバリ処理を容易に実行することができる。
【０００９】
また、請求項３に示すとおり、制御手段は、第２の記憶手段に格納された設定データに異常が発生した場合に、第１の記憶手段に格納された設定データを用いてリカバリ処理を実行する構成とすることができる。これにより、第２の記憶手段に異常が発生した場合でも、正常な第１の記憶手段から設定データを読み出して設定データのリカバリ処理を容易に実行することができる。
【００１０】
また、請求項４に示すとおり、設定データは、簡易な発信を可能とするために登録される電話番号データを含む構成とすることができる。
【００１１】
また、請求項５に示すとおり、第２の記憶手段は、装置の本体部に対して着脱可能なハードディスクである構成とすることができる。これにより、ユーザは第２の記憶手段をオプションとして利用することができ、記憶手段の交換も容易で所望の記憶容量を適宜選択することができる。
【００１２】
また、請求項６に示すとおり、メモリカードを装着するためのメモリ装着手段を更に備え、第２の記憶手段は、当該メモリ装着手段に装着されたメモリカードである構成とすることができる。これにより、ユーザは第２の記憶手段をオプションとして利用することができ、記憶手段の交換も容易で所望の記憶容量を適宜選択することができる。また、記憶手段の持ち運びが容易で汎用性も高く、記憶手段を他の用途（ファクシミリ装置とは無関係の画像データやプログラムを格納する等）にも利用できる。
【００１３】
また、請求項７に示すとおり、制御手段は、第２の記憶手段を装着した際に、その第２の記憶手段に対して第１の記憶手段に格納された設定データと同一のデータの書き込みを行う構成とすることができる。これにより、第２の記憶手段をファクシミリ装置の本体部に装着すると同時に第１の記憶手段に格納された設定データを容易にバックアップすることができる。
【発明の効果】
【００１４】
本発明によれば、電話番号データ等の設定データを適切にバックアップして容易に設定データのリカバリ処理を行うことができる。特に、電話番号データ等の設定データをミラー化することにより、常にバックアップとして使用可能な設定データが保持され、装置単体でいつでも自由にリカバリ処理を行うことができるという優れた効果を有する。
【発明を実施するための最良の形態】
【００１５】
以下、本発明の実施の形態を、図面を参照しながら説明する。
【００１６】
図１は、本発明の第１の実施の形態に係るデジタル複合機の構成を示すブロック図である。このデジタル複合機１は、プログラム用メモリ２、設定データ用メモリ（第１の記憶手段）３、作業用メモリ４、登録情報用メモリ５、ハードディスク（第２の記憶手段）６、操作パネル（操作手段）７、スキャナ部８、プリンタ部９、モデム１０、ＬＡＮ（Local Area Network）コントローラ１１、ＵＳＢ（Universal Serial Bus）コントローラ１２及び中央処理装置（制御手段）１３から構成される。
【００１７】
プログラム用メモリ２は、不揮発性メモリ（例えば、フラッシュＲＯＭ）からなり、制御モジュールごとの複数のファームウェアを格納する。設定データ用メモリ３は、不揮発性メモリからなり、ユーザによって設定された各種設定データ（代表的なものとしては、簡易な発信を可能とするために登録される電話番号データである短縮ダイヤル情報があるが、その他、システムパラメータ情報（＝各種設定値情報）、自局情報（＝自メールアドレス等の設定値情報）、システム状態情報（＝装置のカレント状態ステータス情報）、エラー管理情報（＝装置エラー発生状況ログ情報）、ジョブ情報（＝装置にて作成済みのジョブ情報）、通信ログ情報（＝ＦＡＸ／インターネットＦＡＸ等の通信ログ情報）、ワンタッチダイヤル情報、プログラムダイヤル情報、ユーザ管理情報（＝部門別管理情報）等が挙げられる）を格納する。作業用メモリ４は、揮発性メモリ（例えば、ＤＲＡＭ）からなり、プログラム用メモリ２に格納されたファームウェア等が展開される領域を有し、また、設定データの更新等の際に、設定データを一時的に格納する領域を有する。登録情報用メモリ５は、不揮発性メモリからなり、ファームウェアに関する情報や各機能の設定に関する情報等を格納する。更に、ハードディスク６は、デジタル複合機１におけるプリント処理及びスキャナ処理等に関する画像データを格納する。このハードディスク６は、一般的な接続規格（例えば、ＵＳＢ）に準拠した接続端子によってデジタル複合機１の本体部に着脱可能に取付けられている。
【００１８】
操作パネル７は、デジタル複合機１の各機能に関する各種命令及び動作設定を行うためのものであり、各種操作キー（例えば、テンキーやスタートボタン等）を備えるとともに、各種情報を表示するディスプレイ（例えば、液晶ディスプレイ）を備えている。ユーザは、この操作パネルを用いて各種設定データを設定し、設定データ用メモリ３に記憶させておくことができる。
【００１９】
スキャナ部８は、原稿画像を読み取って画像データを生成する。また、プリンタ部９は、ハードディスク６に格納されている画像データを印刷する。
【００２０】
モデム１０は、デジタル信号及びアナログ信号を相互に変換し、公衆通信交換網を経由して他の機器との通信を可能とする。ＬＡＮコントローラ１１は、ＬＡＮに対するネットワーク接続を制御する。また、ＵＳＢコントローラ１２は、ホストＰＣとのＵＳＢ接続による通信を制御し、これにより、ホストＰＣとの画像データ等の送受信が可能となる。
【００２１】
中央処理装置１３は、デジタル複合機１の上記各部２−１２の動作を統括的に制御する。特に、中央処理装置１３は、ハードディスク６に所定の領域（図２のセクション０に相当）を確保し、設定データ用メモリ３に格納された各種設定データと同一のデータの書き込みを適宜行う。更に、中央処理装置１３は、設定データ用メモリ３及びハードディスク６に格納された設定データの何れか一方に異常が発生した場合に、他方の正常な設定データを用いてリカバリ処理を実行することができる。ここで、「リカバリ処理」とは、格納された設定データの消失や破損などの異常が発生した場合に、別に格納されている設定データを作業用メモリ４に展開してユーザに利用可能な状態とする処理をいう。
【００２２】
図２は、図１に示したデジタル複合機のハードディスク内のデータ構成の一例を示す図である。図に示すように、ハードディスクは、セクション０−５の６つの領域に分割されており、セクション０には、前述の電話番号データ等の設定データを含むシステムバックアップデータが格納され、セクション１には、一連のジョブデータが格納され、セクション２は、プリンタ部９のスプールバッファとして用いられ、セクション３には、スキャナ部８のスキャナデータ（読み取り画像データ）が格納され、セクション４には、リザーブ領域が確保され、更に、セクション５は、スワップメモリとして用いられる。
【００２３】
図３は、図１に示したデジタル複合機にハードディスクを装着した際に実行されるフォーマット動作の手順を示すフロー図である。まず、デジタル複合機１が起動すると、ハードディスク（ＨＤＤ）が装着されているか否かが判断され（ＳＴ１０１）、装着されている場合には、フォーマット済みか否かが判断される（ＳＴ１０２）。そこで、未だフォーマットされていないハードディスクの場合には、フォーマット処理が実行され（ＳＴ１０３）、ハードディスクの装着が完了する。
【００２４】
図４は、図１に示したデジタル複合機にハードディスクを装着した際に実行されるバックアップ動作の手順を示すフロー図である。まず、中央処理装置１３は、設定データ用メモリ（ＦＲＯＭ）３内に格納された設定データと、作業用メモリ４に展開された設定データとを比較して、設定データに変化があったか否かを判断する（ＳＴ２０１）。そこで、ユーザによって新たな設定データが設定されていた場合には、設定データの更新が必要であると判断し、設定データ用メモリ３に対して作業用メモリ４に格納された新たな設定データの書き込みを行う（ＳＴ２０２）。
【００２５】
次に、中央処理装置１３は、本体にハードディスク６が装着されているか否かを確認し（ＳＴ２０３）、ハードディスク６が装着されている場合には、ハードディスク６に所定の領域を確保して、設定データ用メモリ３に格納された設定データと同一のデータの書き込みを行う（ＳＴ２０４）。これにより、設定データのバックアップ動作が完了する。
【００２６】
図５は、図１に示したデジタル複合機におけるリカバリ処理の動作手順を示すフロー図である。設定データの異常が発生してリカバリ処理が必要となった場合には、まず、中央処理装置１３は、本体にハードディスク（ＨＤＤ）６が正常に装着されているか否かを確認し（ＳＴ３０１）、装着されている場合には、設定データ用メモリ（ＦＲＯＭ）３に格納された設定データに異常がないか確認する（ＳＴ３０２）。
【００２７】
そこで、設定データ用メモリ３の設定データに異常がない場合には、設定データ用メモリ３の設定データに更新があったか否かを確認し（ＳＴ３０３）、設定データの更新があった場合（設定データ用メモリ３に格納される設定データの情報がハードディスク６に格納されたものよりも新しい場合）には、設定データ用メモリ３に格納された設定データを作業用メモリ（ＲＡＭ）４に展開する（ＳＴ３０４）。なお、設定データの更新がなかった場合（ＳＴ３０３：Ｎｏ）には、ハードディスク６に格納された設定データと設定データ用メモリ３に格納された設定データとが同じデータであるため、どちらの設定データを展開してもよいが、本例ではハードディスク６に格納された設定データを作業用メモリ４に展開するようにしている（ＳＴ３０６）。これらＳＴ３０１〜ＳＴ３０４の一連の動作は、作業用メモリ４の全エリアのリカバリが完了するまで実行される（ＳＴ３０５）。
【００２８】
一方、ＳＴ３０２において、設定データ用メモリ３に格納された設定データに異常がある場合には、ハードディスク６に格納された設定データを作業用メモリ４に展開し（ＳＴ３０６）、この場合も上述と同様に作業用メモリ４の全エリアのリカバリが完了するまで実行される（ＳＴ３０５）。
【００２９】
また、ＳＴ３０１において、ハードディスク６が正常に装着されていない場合（ハードディスクに格納された設定データに異常がある場合を含む）には、設定データ用メモリ３に格納された設定データが作業用メモリ４に展開されることになる（ＳＴ３０４）。
【００３０】
図６は、本発明の第２の実施の形態に係るファクシミリ装置の構成を示すブロック図である。このファクシミリ装置１０１は、プログラム用メモリ１０２、設定データ用メモリ（第１の記憶手段）１０３、作業用メモリ１０４、登録情報用メモリ１０５、メモリカード１０６、操作パネル（操作手段）１０７、スキャナ部１０８、プリンタ部１０９、モデム１１０、ＬＡＮコントローラ１１０、ＵＳＢコントローラ１２２、中央処理装置（制御手段）１１３及びメモリカードコントローラ（メモリ装着手段）１１４から構成される。
【００３１】
プログラム用メモリ１０２は、不揮発性メモリからなり、制御モジュールごとの複数のファームウェアを格納する。設定データ用メモリ１０３は、不揮発性メモリからなり、ユーザによって設定された各種設定データ（代表的なものとしては、簡易なファクシミリ通信を可能とするために登録される電話番号データである短縮ダイヤル情報があるが、その他、システムパラメータ情報（＝各種設定値情報）、自局情報（＝自メールアドレス等の設定値情報）、システム状態情報（＝装置のカレント状態ステータス情報）、エラー管理情報（＝装置エラー発生状況ログ情報）、ジョブ情報（＝装置にて作成済みのジョブ情報）、通信ログ情報（＝ＦＡＸ／インターネットＦＡＸ等の通信ログ情報）、ワンタッチダイヤル情報、プログラムダイヤル情報、ユーザ管理情報（＝部門別管理情報）等が挙げられる）を格納する。作業用メモリ１０４は、揮発性メモリからなり、プログラム用メモリ２に格納されたファームウェア等が展開される領域を有し、また、設定データの更新等の際に、設定データを一時的に格納する領域を有する。登録情報用メモリ１０５は、不揮発性メモリからなり、ファームウェアに関する情報や各機能の設定に関する情報等を格納する。
【００３２】
メモリカード１０６は、ファクシミリ装置１０１におけるプリント処理及びスキャナ処理等に関する画像データを格納する。このメモリカード１０６は、ファクシミリ装置１０１の本体部に備えられたメモリカードコントローラ１１４に付属する図示しないカードスロットに装着されることでファクシミリ装置１０１に接続される。メモリカード１０６としては、例えば、ＳＤメモリーカードを用いることができるが、特定の規格に限定されるものではなく、また、コントローラをメモリカード内に備える構成も可能である。
【００３３】
操作パネル１０７は、ファクシミリ装置１０１の通信等に関する各種命令及び動作設定を行うためのものであり、各種操作キー（例えば、テンキーやスタートボタン等）を備えるとともに、各種情報を表示するディスプレイ（例えば、液晶ディスプレイ）を備えている。ユーザは、この操作パネル１０７を用いて各種設定データを設定し、設定データ用メモリ１０３に記憶させておくことができる。
【００３４】
スキャナ部１０８は、原稿画像を読み取ってファクシミリ送信するための画像データを生成する。また、プリンタ部１０９は、他のファクシミリ装置から受信したファクシミリ画像データやメモリカード１０６に格納されている画像データを印刷する。
【００３５】
モデム１０は、デジタル信号及びアナログ信号を相互に変換し、公衆通信交換網を経由して他の機器とのファクシミリ通信を可能とする。ＬＡＮコントローラ１１１は、ＬＡＮに対するネットワーク接続を制御し、インターネットを介したファクシミリ通信を可能とする。また、ＵＳＢコントローラ１１２は、ホストＰＣや他の周辺機器とのＵＳＢ接続による通信を制御し、これにより、ホストＰＣや他の周辺機器との画像データ等の送受信が可能となる。
【００３６】
中央処理装置１１３は、ファクシミリ装置１０１の上記各部の動作を統括的に制御する。特に、中央処理装置１１３は、メモリカード１０６に所定の領域（図７のセクション０に相当）を確保し、設定データ用メモリ１０３に格納された各種設定データと同一のデータの書き込みを適宜行う。更に、中央処理装置１１３は、設定データ用メモリ１０３及びメモリカード１０６に格納された設定データの何れか一方に異常が発生した場合に、他方の正常な設定データを用いてリカバリ処理を実行することができる。
【００３７】
図７は、図６に示したファクシミリ装置のメモリカード内のデータ構成の一例を示す図である。図に示すように、メモリカードは、セクション０−２の３つの領域に分割されており、セクション０には、前述の電話番号データ等の設定データを含むシステムバックアップデータが格納され、セクション１には、一連の通信ジョブデータが格納され、セクション２には、スキャナ部８のスキャナデータ（ファクシミリ原稿の読み取り画像データ等）が格納される。
【００３８】
図８は、図６に示したファクシミリ装置のカードスロットにメモリカードを装着した際に実行されるフォーマット動作の手順を示すフロー図である。まず、ファクシミリ装置１０１が起動すると、メモリカードが装着されているか否かが判断され（ＳＴ４０１）、装着されている場合には、フォーマット済みか否かが判断される（ＳＴ４０２）。そこで、未だフォーマットされていないメモリカードの場合には、フォーマット処理が実行され（ＳＴ４０３）、メモリカードの装着が完了する。
【００３９】
図９は、図６に示したファクシミリ装置のカードスロットにメモリカードを装着した際に実行されるバックアップ動作の手順を示すフロー図である。まず、中央処理装置１１３は、設定データ用メモリ（ＦＲＯＭ）１０３内に格納された設定データと、作業用メモリ１０４に展開された設定データとを比較して、設定データに変化があったか否かを判断する（ＳＴ５０１）。そこで、ユーザによって新たな設定データが設定されていた場合には、設定データの更新が必要であると判断し、設定データ用メモリ１０３に対して作業用メモリ１０４に格納された新たな設定データの書き込みを行う（ＳＴ５０２）。
【００４０】
次に、中央処理装置１１３は、カードスロットにメモリカード１０６が装着されているか否かを確認し（ＳＴ５０３）、メモリカード１０６が装着されている場合には、メモリカード１０６に所定の領域を確保して、設定データ用メモリ１０３に格納された設定データと同一のデータの書き込みを行う（ＳＴ５０４）。これにより、設定データのバックアップ動作が完了する。
【００４１】
図１０は、図６に示したファクシミリ装置におけるリカバリ処理の動作手順を示すフロー図である。設定データの異常が発生してリカバリ処理が必要となった場合には、まず、中央処理装置１１３は、カードスロットにメモリカード１０６が正常に装着されているか否かを確認し（ＳＴ６０１）、装着されている場合には、設定データ用メモリ（ＦＲＯＭ）１０３に格納された設定データに異常がないか確認する（ＳＴ６０２）。
【００４２】
そこで、設定データ用メモリ１０３の設定データに異常がない場合には、設定データ用メモリ１０３の設定データに更新があったか否かを確認し（ＳＴ６０３）、設定データの更新があった場合（設定データ用メモリ１０３に格納される設定データの情報がメモリカード１０６に格納されたものよりも新しい場合）には、設定データ用メモリ１０３に格納された設定データを作業用メモリ（ＲＡＭ）１０４に展開する（ＳＴ６０４）。なお、設定データの更新がなかった場合（ＳＴ６０３：Ｎｏ）には、メモリカード１０６に格納された設定データと設定データ用メモリ１０３に格納された設定データとが同じデータであるため、どちらの設定データを展開してもよいが、本例ではメモリカード１０６に格納された設定データを作業用メモリ１０４に展開するようにしている（ＳＴ６０６）。これらＳＴ６０１〜ＳＴ６０４の一連の動作は、作業用メモリ１０４の全エリアのリカバリが完了するまで実行される（ＳＴ６０５）。
【００４３】
一方、ＳＴ６０２において、設定データ用メモリ１０３に格納された設定データに異常がある場合には、メモリカード１０６に格納された設定データを作業用メモリ１０４に展開し（ＳＴ６０６）、この場合も上述と同様に作業用メモリ１０４の全エリアのリカバリが完了するまで実行される（ＳＴ６０５）。
【００４４】
また、ＳＴ６０１において、メモリカード１０６が正常に装着されていない場合（メモリカード１０６に格納された設定データに異常がある場合を含む）には、設定データ用メモリ１０３に格納された設定データが作業用メモリ１０４に展開されることになる（ＳＴ６０４）。
【産業上の利用可能性】
【００４５】
本発明のファクシミリ装置は、電話番号データ等の設定データを適切にバックアップして容易に設定データのリカバリ処理を容易に行うことができ、装置本体に設定された電話番号データ等の各種設定データをバックアップすることができる記憶装置を備えたファクシミリ装置として有用である。
【図面の簡単な説明】
【００４６】
【図１】本発明の第１の実施の形態に係るデジタル複合機の構成を示すブロック図
【図２】図１に示したデジタル複合機のハードディスク内のデータ構成の一例を示す図
【図３】図１に示したデジタル複合機のハードディスク装着の際に実行されるフォーマット動作の手順を示すフロー図
【図４】図１に示したデジタル複合機のハードディスク装着の際に実行されるバックアップ動作の手順を示すフロー図
【図５】図１に示したデジタル複合機におけるリカバリ処理の動作手順を示すフロー図
【図６】本発明の第２の実施の形態に係るファクシミリ装置の構成を示すブロック図
【図７】図６に示したファクシミリ装置メモリカード内のデータ構成の一例を示す図
【図８】図６に示したファクシミリ装置にメモリカードを装着した際に実行されるフォーマット動作の手順を示すフロー図
【図９】図６に示したファクシミリ装置にメモリカードを装着した際に実行されるバックアップ動作の手順を示すフロー図
【図１０】図６に示したファクシミリ装置におけるリカバリ処理の動作手順を示すフロー図
【符号の説明】
【００４７】
１  デジタル複合機
３  設定データ用メモリ（第１の記憶手段）
４  作業用メモリ
６  ハードディスク（第２の記憶手段）
７  操作パネル（操作手段）
８  スキャナ部
９  プリンタ部
１３  中央処理装置（制御手段）
１０１  ファクシミリ装置
１０３  設定データ用メモリ（第１の記憶手段）
１０４  作業用メモリ
１０７  操作パネル（操作手段）
１０８  スキャナ部
１０９  プリンタ部
１０６  メモリカード（第２の記憶手段）
１１３  中央処理装置（制御手段）
１１４  メモリカードコントローラ（メモリ装着手段）
【図１】
2005269615.tif 000003
【図２】
2005269615.tif 000004
【図３】
2005269615.tif 000005
【図４】
2005269615.tif 000006
【図５】
2005269615.tif 000007
【図６】
2005269615.tif 000008
【図７】
2005269615.tif 000009
【図８】
2005269615.tif 000010
【図９】
2005269615.tif 000011
【図１０】
2005269615.tif 000012